(57)【要約】【目的】複数のラインセンサを用いる画像読取装置において、高い組立精度を必要とすることなく尚かつ各々のラインセンサの取り付け位置の調整作業が不要となる密着型イメージセンサおよびこれを用いた画像読取装置を提供する。【構成】イメージセンサ同士が互いに係合して連結されるようイメージセンサ本体の主走査方向両側部分に係合部を設け、２つのイメージセンサ本体の係合部を互いに係合させると、各々のイメージセンサのラインセンサが主走査方向について一部重なるようにして連結されるよう構成した。また、係合部を凹凸部により形成し、連結される一方のイメージセンサ本体の係合部凹部に他方のイメージセンサ本体の係合部凸部が嵌合するよう構成した。【選択図】        図１
2004336201.tif 000002
【特許請求の範囲】
【請求項１】
原稿画像を光電変換する複数の読み取り画素が主走査方向にライン状に配列されたラインセンサを有する密着型イメージセンサにおいて、
イメージセンサ同士が互いに係合して連結されるようイメージセンサ本体の主走査方向両側部分に係合部を設け、２つのイメージセンサ本体の係合部を互いに係合させると、各々のイメージセンサのラインセンサが主走査方向について一部重なるようにして連結されるよう構成したことを特徴とする密着型イメージセンサ。
【請求項２】
上記係合部は凹凸部よりなり、連結される一方のイメージセンサ本体の係合部凹部に他方のイメージセンサ本体の係合部凸部が嵌合するよう構成されることを特徴とする請求項１記載の密着型イメージセンサ。
【請求項３】
原稿画像を光電変換する複数の読み取り画素が主走査方向にライン状に配列されたラインセンサを有し、イメージセンサ同士が互いに係合して連結されるようイメージセンサ本体の主走査方向両側部分に係合部が設けられ、２つのイメージセンサ本体の係合部を互いに係合させると、各々のイメージセンサのラインセンサが主走査方向について一部重なるようにして連結されるよう構成された密着型イメージセンサを主走査方向に複数個連結し、これにより互いに隣り合うイメージセンサのラインセンサが主走査方向について一部重なるよう千鳥状に配設された画像読取部を構成し、
この画像読取部に対して副走査方向に原稿を搬送するとともに、画像読取部により原稿上の画像を順次読み取ることを特徴とする密着型イメージセンサを用いた画像読取装置。
【発明の詳細な説明】
【０００１】
【発明の属する技術分野】
本発明は画像読取装置に関するものであり、さらに詳しくはイメージセンサを用いて大判原稿の画像を読み取る画像読取装置に関するものである。
【０００２】
【従来の技術】
図５はこの種の画像読取装置である原稿搬送型スキャナの構成を示す図であり、図において１は図の主走査方向に順次０，１，２，・・・，Ｎ−１，Ｎと光電変換素子よりなる読み取り画素が複数個配列される密着型イメージセンサＳにより構成される画像読取部、７１はイメージセンサＳの出力信号をデジタル信号に変換するＡ／Ｄ変換器、７２は各イメージセンサＳの出力を種走査方向について各センサ毎のラインデータとして順次保持するラインバッファ、７３はラインバッファ７２のデータを読み取り、原稿画像に対応した主，副走査方向のマトリックスデータとしてこれを格納保持するフレームメモリ、８はフレームメモリ７３から画像データを読み出してホストコンピュータ等の上位装置に送出するインターフェース回路、９は原稿である。
この種の画像読取装置においては、Ａ０，Ａ１といった大判の原稿画像を読み取るために複数の密着型イメージセンサＳ１，Ｓ２，Ｓ３，・・・を千鳥状に２列に配置し、尚かつ各センサＳのつなぎ目部分で原稿９より読み取る画像データが途切れないようにするため、主走査方向について隣り合うセンサＳが所定の読取画素数分重なるようにして配置し、各イメージセンサＳにより読み取られた画素データセンサ毎のラインデータとしてラインバッファ７２に格納保持し、フレームメモリ７３がこのラインバッファ７２から画像データを読み出す際に、主走査方向について隣り合うセンサＳの重なっている読み取り画素部分のデータについてその何れか一方の読み取り画素部分のデータのみを読み出して、フレームメモリ７３に格納し、原稿９の読取画像データとするよう構成されている（例えば特許文献１参照）。
【０００３】
【特許文献１】
特開平０９−２００４３０号公報
【０００４】
また、図６はこの画像読取装置に用いられる密着型イメージセンサＳを示す図であり、フレームに形成されたガイド上に主走査方向に列状に設けられる光源２と、光電変換素子である受光素子０，１，２，・・・，Ｎが主走査方向に列状に設けられるラインセンサ３、光源２からの光を受けた原稿面９からの反射光をこのラインセンサ３の受光素子状に結像する光学素子であるレンズアレイ４により構成されており、図７に示すように、この密着型イメージセンサＳが複数個千鳥状に配列されて画像読取部１が構成されている。
【０００５】
【発明が解決しようとする課題】
複数のラインセンサを用いて大判原稿の画像を読み取る画像読取装置においては、上述の通り単位ラインセンサユニットＳを複数個千鳥状に配列，配置し、各センサＳのつなぎ目部分で原稿より読み取るべき画像データが連続するように、各センサユニットＳから得られる１ライン分のデータのうち
、主走査方向に重なるデータについてはいずれかのデータのみを読み出して画像データを形成するとともに、副走査方向については隣り合うラインセンサユニットＳが所定距離を有して配置されているので、所定ライン分のデータをラインバッファ７２に格納して、１ラインの画像データを形成する際にはこの格納したデータより読み取るべき画像データにおけるラインデータを読み出して１ライン分のデータを生成するよう構成されている。
従って、画像読取装置に各ラインセンサユニットＳを取り付けるにあたっては高い組立精度が必要となる、即ち、主走査方向については各々のラインセンサ３の形成される方向が正確に主走査方向に一致する（平行となる）必要があり、また副走査方向についてもラインセンサユニットＳの取り付け位置が予め定められた所定ライン分に相当する距離に正確に合致する必要があり、何れも誤差を含む場合は各センサＳのラインデータを合成した際に、センサのつなぎ目部分で画像データが連続しなくなり、読取画像の品質低下を起こしてしまうといった不具合が生じていた。
【０００６】
この不具合を解決するために、従来は画像読取装置の組立工程において、テストパターンなどの読み取りデータを参照しながら、個々の機体のラインセンサユニットＳの取り付け位置を調整するようにしており、この調整作業が非常に煩雑になるとともに、調整作業により組み立てコストの上昇を招いてしまうといった不具合が生じていた。
【０００７】
本発明はこれらの不具合を解決するためになされたもので、複数のラインセンサを用いる画像読取装置において、高い組立精度を必要とすることなく尚かつ各々のラインセンサの取り付け位置の調整作業が不要となる密着型イメージセンサおよびこれを用いた画像読取装置を提供することを目的とする。
【０００８】
【課題を解決するための手段】
上記課題を解決するために、本発明の密着型イメージセンサにおいては、イメージセンサ同士が互いに係合して連結されるようイメージセンサ本体の主走査方向両側部分に係合部を設け、２つのイメージセンサ本体の係合部を互いに係合させると、各々のイメージセンサのラインセンサが主走査方向について一部重なるようにして連結されるよう構成した。また、係合部を凹凸部により形成し、連結される一方のイメージセンサ本体の係合部凹部に他方のイメージセンサ本体の係合部凸部が嵌合するよう構成した。さらに本発明の画像読取装置においては、原稿画像を光電変換する複数の読み取り画素が主走査方向にライン状に配列されたラインセンサを有し、イメージセンサ同士が互いに係合して連結されるようイメージセンサ本体の主走査方向両側部分に係合部が設けられ、２つのイメージセンサ本体の係合部を互いに係合させると、各々のイメージセンサのラインセンサが主走査方向について一部重なるようにして連結されるよう構成された密着型イメージセンサを主走査方向に複数個連結し、これにより互いに隣り合うイメージセンサのラインセンサが主走査方向について一部重なるよう千鳥状に配設された画像読取部を構成し、この画像読取部に対して副走査方向に原稿を搬送するとともに、画像読取部により原稿上の画像を順次読み取るよう構成した。
【０００９】
【発明の実施の形態】
以下図面に基づいて、本発明の密着型イメージセンサおよびこれを用いた画像読取装置を説明する。
図１は本発明の密着型イメージセンサを示す図であり、上述の従来の装置と同等の構成については同一の符号が付与されている。
図１上図（ａ）に示されるとおり、本発明の密着型イメージセンサＳの主走査方向両側部分には係合部５が設けられており、主走査方向について左右対称となる形状を有している。この実施例において係合部５は、光源２，ラインセンサ３ならびにレンズアレイ４が設けられるセンサ本体の端部となる凸部５１と、筐体であるセンサ本体１０が平面視当該凸部５１に対応するよう形成された凹部５２により構成されている。また、図１中図（ｂ）に示されるように、センサ本体１０の副走査方向中央部分に設けられる位置決め穴５３が、主走査方向にセンサ本体１０を貫通するよう形成されている。
この密着型イメージセンサＳを複数個用いて大判原稿の画像を読み取る画像読取装置の画像読取部を構成する場合は、図１下図（ｃ）に示されるように、密着型センサＳを交互に平面視１８０度回転させて配置し、互いに隣り合う密着型センサＳの係合部５同士を係合する、即ち係合部５の凸部５１を隣り合うセンサＳの係合５の凹部５２に嵌合して位置決めし、図に示す通り位置決め穴５３に画像読取部１の主走査方向の長さに応じたシャフト５４を挿入して各センサＳを固定して、画像読取部１が構成される。
隣り合う密着型センサＳの係合部５が嵌合されると、図１下図（ｃ）に示されるとおり、各イメージセンサＳのラインセンサ３（レンズアレイ４）の方向がそれぞれ主走査方向に対して正確に合致して連結されて千鳥状に２列に配置されるとともに、主走査方向について一部（端部が）重なるよう構成されている。これにより、各センサのつなぎ目部分での原稿９の読取画像データが途切れないよう構成されている。
【００１０】
本発明の密着型センサＳにおいては、各センサが同一の形状を有しているので、センサ本体１０を作成する金型等を複数種類用意する必要がなく、その製作コストを抑えることができ、隣り合うセンサＳの係合部５同士を係合させて連結させる構成により、組立時には高い取り付け精度を必要とすることなく、尚かつ高い精度で各センサＳのラインセンサ２を主走査方向に一致させることが可能となる。
【００１１】
図２は本発明の第２実施例を示す図であり、上述の第１実施例の密着型センサＳにおいて、係合部５の凹部５２に凸部５１１を設けるとともに、凸部５１の対応する部分に凝れと嵌合する穴形状の凹部５２１を設けたものである。この第２実施例の密着型センサも、上述の第１実施例のセンサと同様に、主走査方向について左右対称となる形状を有して形成されている。
この第２実施例の密着型イメージセンサＳを複数個用いて、画像読取装置の画像読取部を構成する場合は、図３に示す通り連結する密着型センサＳを平面視１８０度回転させて配置し（図３（ａ））、互いの係合部４の凸部５１と凹部５２を当接させ、さらに各々凸部５１１を対向する凹部５２１に嵌合して位置決め、連結する。同様に複数個連結して、図４に示す通り長尺の読取部１を構成する。
【００１２】
本実施例の密着型イメージセンサにおいても、複数のセンサＳを連結した際には、図３，４に示すとおり各センサＳのラインセンサ３（レンズアレイ４）はそれぞれ主走査方向に対して正確に合致して千鳥状に２列に配置され、さらに各々のラインセンサ３は主走査方向についてその両端部分が互いに隣り合うラインセンサ３と一部重なるよう構成されている。これにより、各センサのつなぎ目部分での原稿９の読取画像データが途切れないよう構成されている。
【００１３】
【発明の効果】
以上詳述したとおり、本発明の密着型イメージセンサにおいては、イメージセンサ同士が互いに係合して連結されるようイメージセンサ本体の主走査方向両側部分に係合部を設け、２つのイメージセンサ本体の係合部を互いに係合させると、各々のイメージセンサのラインセンサが主走査方向について一部重なるようにして連結されるよう構成し、また、係合部を凹凸部により形成し、連結される一方のイメージセンサ本体の係合部凹部に他方のイメージセンサ本体の係合部凸部が嵌合するよう構成し、さらに本発明の画像読取装置においては、原稿画像を光電変換する複数の読み取り画素が主走査方向にライン状に配列されたラインセンサを有し、イメージセンサ同士が互いに係合して連結されるようイメージセンサ本体の主走査方向両側部分に係合部が設けられ、２つのイメージセンサ本体の係合部を互いに係合させると、各々のイメージセンサのラインセンサが主走査方向について一部重なるようにして連結されるよう構成された密着型イメージセンサを主走査方向に複数個連結し、これにより互いに隣り合うイメージセンサのラインセンサが主走査方向について一部重なるよう千鳥状に配設された画像読取部を構成し、この画像読取部に対して副走査方向に原稿を搬送するとともに、画像読取部により原稿上の画像を順次読み取るよう構成したので、隣り合うラインセンサの係合部同士を係合させるだけで、各センサのラインセンサをそれぞれ主走査方向に対して正確に合致させて千鳥状に２列に配置することができ、さらに各々のラインセンサ２は主走査方向についてその両端部分が互いに隣り合うラインセンサと一部重なるよう構成されており、これにより、各センサのつなぎ目部分での原稿の読取画像データが途切れることがなく、組立のために高い精度を必要とすることなく尚かつ各々のラインセンサの取り付け位置の調整作業が不要となるという効果を奏する。
【図面の簡単な説明】
【図１】本発明の密着型イメージセンサの構成を示す図である。
【図２】本発明の密着型イメージセンサの第２実施例を示す図である。
【図３】本発明の密着型イメージセンサの第２実施例を示す図である。
【図４】本発明の密着型イメージセンサにより形成した画像読取装置の画像読取部の構成を示す図である。
【図５】この種の画像読取装置の構成を示す図である。
【図６】従来の密着型イメージセンサの構成を示す図である。
【図７】従来の画像読取装置の画像読取部の構成を示す図である。
【符号の説明】
１      画像読取部
Ｓ      密着型イメージセンサ
２      光源
３      ラインセンサ
４      レンズアレイ
９      原稿
【図１】
2004336201.tif 000003
【図２】
2004336201.tif 000004
【図３】
2004336201.tif 000005
【図４】
2004336201.tif 000006
【図５】
2004336201.tif 000007
【図６】
2004336201.tif 000008
【図７】
2004336201.tif 000009